(57)【特許請求の範囲】
【請求項１】
コンピュータから伝送される映像データを分割して出力するメインコントローラと、
前記メインコントローラから出力されるデータ信号を、外部から供給されるクロック信号に同期させて出力する複数のサブコントローラと、
前記クロック信号およびデータ信号を受信する、直列接続されたＬＥＤバーと、
前記直列接続されたＬＥＤバーのうちいずれか１つのＬＥＤバーから出力される前記クロック信号をサンプリングし、サンプリングされた前記クロック信号のエラーを検出するエラーチェック部と、を含み、
前記エラーチェック部は、前記クロック信号の立ち上がりエッジを有する立ち上がりクロックから立ち下がりエッジを有する立ち下がりクロックまでの周期に対する比率が所定範囲から外れると、前記クロック信号にエラーがあると判断し、前記サブコントローラにエラーチェック信号を出力し、
前記所定範囲は、３０〜７０パーセントである
ことを特徴とするＬＥＤメディアファサード。
【請求項２】
前記サブコントローラは、前記エラーチェック部が前記クロック信号にエラーがあると判断すると、前記ＬＥＤバー内のＬＥＤと外部の商用電源との間に配置されたスイッチング素子を遮断することを特徴とする請求項１記載のＬＥＤメディアファサード。
【請求項３】
前記サブコントローラは、前記エラーチェック部が前記クロック信号にエラーがあると判断すると、前記ＬＥＤバー内のＬＥＤと外部の商用電源との間に配置されたスイッチング素子を所定回数断続することを特徴とする請求項１記載のＬＥＤメディアファサード。
【請求項４】
直列接続されたＬＥＤバーを含むＬＥＤメディアファサードのエラー復旧方法において、
前記ＬＥＤメディアファサード内の複数のサブコントローラの出力ポートを初期化させる第１ステップと、
外部の商用電源と前記ＬＥＤバー内のＬＥＤとの間に配置されたスイッチング素子をターンオンさせる第２ステップと、
前記直列接続されたＬＥＤバーのうちいずれか１つのＬＥＤバーから出力されるクロック信号の立ち上がりエッジを有する立ち上がりクロックまたは立ち下がりエッジを有する立ち下がりクロックの比率が所定範囲から外れると、前記サブコントローラが前記スイッチング素子をターンオフさせる第３ステップと、を含み、
前記所定範囲は、３０〜７０パーセントである
ことを特徴とするＬＥＤメディアファサードのエラー復旧方法。
【請求項５】
前記第３ステップの後、所定時間が経過すると、前記第２ステップおよび前記第３ステップを繰り返すステップと、
前記繰り返しが所定回数を超えると、前記スイッチング素子をターンオンさせるステップと、をさらに含む
ことを特徴とする請求項４記載のＬＥＤメディアファサードのエラー復旧方法。
【発明の詳細な説明】
【技術分野】
【０００１】
本発明は、ＬＥＤメディアファサードに関し、より詳細には、クロック信号のエラーを復旧できるＬＥＤメディアファサードに関する。
【背景技術】
【０００２】
ＬＥＤは、光を発する半導体素子であって、赤色、緑色、青色などの多様な色で発光し、各種電子製品類や計器盤などの電子表示板などに幅広く用いられている。
【０００３】
このうち、ＬＥＤ電光板は、多数のＬＥＤがマトリクス状に配列され、マトリクス状に配列されたＬＥＤそれぞれが、入力される信号に応じて各自の色を発散し、各種映像や文字などを表出する。
【０００４】
しかし、最近、ＬＥＤ電光板を建物の景観照明に応用してメディアファサードが提案されている。メディアファサードとは、建築物の外面の最中心を指すファサードとメディアの合成語で、建物の外壁などにＬＥＤ照明を設置してメディア機能を具現することをいう。都市の建築物を、視覚的な美しさだけでなく、情報を伝達する媒介物として用いることから、デジタルサイネージ（Ｄｉｇｉｔａｌ  Ｓｉｇｎａｇｅ）の一形態であり、照明・映像・情報技術（ＩＴ）を結合した２１世紀の建築における新たなトレンドとして現れているものである。
【０００５】
一方、メディアファサードは、建築物の外面に具現されるため、配線ができるだけ最小化されなければならないことから、ＬＥＤバーを直列に接続する直列方式を利用する。そして、メディアファサードは、ＬＥＤバーの間隔が一定でなく、距離が遠くて、外部の影響を多く受ける。つまり、ＬＥＤバー内のドライバ素子の不良ではなく、外部のノイズや初期ブート時の障害により、ＬＥＤバーが異常な動作をする場合が発生する。
【発明の概要】
【発明が解決しようとする課題】
【０００６】
上記の問題を解決するためになされた本発明は、外部の環境的要因による誤動作から復旧できるエラー復旧機能を有するＬＥＤメディアファサードを提供することを目的とする。
【０００７】
また、本発明は、ブートエラーによる誤動作から復旧できるエラー復旧機能を有するＬＥＤメディアファサードを提供することを他の目的とする。
【課題を解決するための手段】
【０００８】
本願の第１発明にかかるＬＥＤメディアファサードは、コンピュータから伝送される映像データを分割して出力するメインコントローラと、前記メインコントローラから出力されるデータ信号を、外部から供給されるクロック信号に同期させて出力する複数のサブコントローラと、前記クロック信号およびデータ信号を受信する直列接続されたＬＥＤバーと、前記直列接続されたＬＥＤバーのうちいずれか１つのＬＥＤバーから出力される前記クロック信号をサンプリングし、サンプリングされた前記クロック信号のエラーを検出するエラーチェック部とを含む。
【０００９】
好ましくは、前記エラーチェック部は、前記クロック信号の立ち上がりエッジを有する立ち上がりクロックまたは立ち下がりエッジを有する立ち下がりクロックの比率が所定範囲から外れると、前記クロック信号にエラーがあると判断する。
【００１０】
好ましくは、前記所定範囲は、３０〜７０パーセントであり得る。
【００１１】
好ましくは、前記サブコントローラは、前記エラーチェック部が前記クロック信号にエラーがあると判断すると、前記ＬＥＤバー内のＬＥＤと外部の商用電源との間に配置されたスイッチング素子を遮断することを特徴とする。
【００１２】
好ましくは、前記サブコントローラは、前記エラーチェック部が前記クロック信号にエラーがあると判断すると、前記ＬＥＤバー内のＬＥＤと外部の商用電源との間に配置されたスイッチング素子を所定回数断続することを特徴とする。
【００１３】
本願の第２発明にかかるＬＥＤメディアファサードのエラー復旧方法は、直列接続されたＬＥＤバーを含むＬＥＤメディアファサードのエラー復旧方法において、前記ＬＥＤメディアファサード内の複数のサブコントローラの出力ポートを初期化させる第１ステップと、外部の商用電源と前記ＬＥＤバー内のＬＥＤとの間に配置されたスイッチング素子をターンオンさせる第２ステップと、前記直列接続されたＬＥＤバーのうちいずれか１つのＬＥＤバーから出力されるクロック信号の立ち上がりクロックまたは立ち下がりクロックの比率が所定範囲から外れると、前記スイッチング素子をターンオフさせる第３ステップとを含む。
【００１４】
好ましくは、前記第３ステップの後、所定時間が経過すると、前記第２ステップおよび前記第３ステップを繰り返すステップと、前記繰り返しが所定回数を超えると、前記スイッチング素子をターンオンさせるステップとを含む。
【発明の効果】
【００１５】
本発明のエラー復旧機能を有するＬＥＤメディアファサードによれば、外部の環境的要因による誤動作から復旧でき、ブートエラーによる誤動作から復旧できる。
【図面の簡単な説明】
【００１６】
【図１】本発明の一実施形態にかかるＬＥＤメディアファサードの全体ブロック図である。
【図２】本発明の一実施形態にかかるＬＥＤメディアファサードのエラー復旧用制御フローチャートである。
【図３】本発明の一実施形態にかかるクロック信号のエラーの例示図である。
【発明を実施するための形態】
【００１７】
以下、本発明の好ましい実施形態について添付図面を参照して詳細に説明する。まず、各図面の構成要素に参照符号を付加するにあたり、同一の構成要素に限っては、たとえ他の図面上に表示されても、できるだけ同一の符号で表していることに留意しなければならない。また、下記の説明では、多くの特定事項が示されているが、これは、本発明のより全般的な理解のために提供されたものであって、これらの特定事項なしにも本発明が実施可能であることは、当該技術分野における通常の知識を有する者にとっては自明である。そして、本発明を説明するにあたり、かかる公知の機能あるいは構成に対する具体的な説明が本発明の要旨をあいまいにする可能性があると判断された場合、その詳細な説明を省略する。
【００１８】
図１は、本発明の一実施形態にかかるＬＥＤメディアファサードの全体ブロック図であり、図２は、本発明の一実施形態にかかるＬＥＤメディアファサードのエラー復旧用制御フローチャートであり、図３は、本発明の一実施形態にかかるクロック信号のエラーの例示図である。
【００１９】
本発明の一実施形態にかかるＬＥＤメディアファサードは、コンピュータ１００と、メインコントローラ２００と、サブコントローラ３００と、メディアファサード電光板４００と、エラーチェック部５００とを含む。
【００２０】
コンピュータ１００は、遠隔地に配置され、有線又は無線によりデータを伝送することもでき、ＬＥＤメディアファサードと同じ建築物に配置され、有線又は無線によりデータを伝送することもできる。
【００２１】
メインコントローラ２００は、コンピュータ１００から伝送される映像および／または音声データを分割し、並列接続された複数のサブコントローラ３００に出力する。
【００２２】
個別のサブコントローラ３１０、３２０、・・・は、それぞれクロック信号ＣＬＫとデータ信号ＤＡＴＡを直列接続されたＬＥＤバー４１１、４２１、・・・に出力する。例えば、第１サブコントローラ３１０は、クロック信号ＣＬＫとデータ信号ＤＡＴＡをＬＥＤバー４１１に出力し、第２サブコントローラ３２０は、クロック信号ＣＬＫとデータ信号ＤＡＴＡをＬＥＤバー４２１に出力する。図示しないが、クロック信号発生器が個別のサブコントローラ３１０、３２０、・・・にクロック信号ＣＬＫを提供する。あるいは、クロック信号ＣＬＫを提供するクロック信号発生器が個別のサブコントローラ３１０、３２０、・・・内に具備されてもよい。
【００２３】
ＬＥＤバー４１１は、クロック信号ＣＬＫに同期して、データ信号ＤＡＴＡのうち自らの番地に該当するデータ信号を内部のＬＥＤに表出し、残りのデータ信号を隣り合うＬＥＤバー４１２に伝達する。ＬＥＤバー４１２は、次のクロック信号ＣＬＫに同期して、入力されるデータ信号ＤＡＴＡのうち自らの番地に該当するデータ信号を内部のＬＥＤに表出し、残りのデータ信号を同様の方式で隣り合うＬＥＤバー４１３に伝達する。
【００２４】
しかし、第１サブコントローラ３１０は、一番最後の番地に位置するＬＥＤバー４１Ｎのデータ信号を一番先に出力し、１番目の番地に位置するＬＥＤバー４１１のデータ信号を最後に出力する。この方式でクロック信号に同期させてデータ信号を出力すると、Ｎ個のＬＥＤバーに同時に１フレームのデータが表出できる。
【００２５】
例えば、直列接続されたＬＥＤバーが１０個であれば、相次ぐ１０個のクロック信号ＣＬＫに同期させて、１０個のクロック信号ＣＬＫに１回ずつデータが表出できる。
【００２６】
図示しないが、本発明の一実施形態にかかるＬＥＤメディアファサードは、外部の商用電源を直流に変換する複数のコンバータと、外部の商用電源を断続する複数のスイッチング素子（例えば、トライアック、リレー）が配置される。そして、それぞれのＬＥＤバーは、クロック信号ＣＬＫとデータ信号ＤＡＴＡを受信するドライバ素子と、データ信号ＤＡＴＡを表出する複数のＬＥＤとを含む。複数のコンバータは、それぞれＬＥＤバー内のドライバ素子に直流を供給し、複数のスイッチング素子は、外部の商用電源が複数のＬＥＤに供給されることを断続する。
【００２７】
一方、外部のノイズやブートエラーがある場合には、クロック信号ＣＬＫが異常に出力される。つまり、図３（ａ）のように、正常なクロック信号ＣＬＫのデューティー比（Ｄｕｔｙ  Ｒａｔｉｏ＝Ｔｏｎ／Ｔ）は１５〜５０％である。しかし、図３（ｂ）ないし図３（ｅ）のように、異常なクロック信号ＣＬＫは、パルス状信号、逆パルス状信号、ロー信号、ハイ信号などが出力される。このように出力されるクロック信号ＣＬＫの立ち上がりエッジと立ち下がりエッジを所定のクロックごとにサンプリングし、立ち上がりエッジを有する立ち上がりクロックまたは立ち下がりエッジを有する立ち下りクロックの比率（Ｄｃｋ＝Ｔｏｎ／Ｔ）が３０〜７０％であれば、クロック信号ＣＬＫが正常に出力されると判断し、これから外れると、異常に出力されると判断する。
【００２８】
本発明の一実施形態によれば、直列接続されたＬＥＤバーのうち最終のＬＥＤバーから出力されるクロック信号を所定のクロックごとにサンプリングし、サンプリングされたクロック信号の立ち上がりエッジを有する立ち上がりクロックまたは立ち下がりエッジを有する立ち下がりクロックの比率（Ｄｃｋ）が所定範囲、例えば、３０〜７０％から外れる場合、当該直列接続されたＬＥＤバーが誤動作すると判断する。一方、本発明の他の実施形態によれば、直列接続されたＬＥＤバーのうちいずれか１つのＬＥＤバーから出力されるクロック信号を所定のクロックごとにサンプリングすることにより、誤動作を判断することができる。
【００２９】
以下、図２を参照して、本発明の一実施形態にかかるエラー復旧方法を説明する。
【００３０】
本発明の一実施形態により、電源をオンにすると（Ｓ２１０）、複数のサブコントローラの出力ポートを初期化させ（Ｓ２２０）、サブコントローラは、スイッチング素子をターンオンさせ、外部の商用電源をＬＥＤバー内のＬＥＤに供給する（Ｓ２３０）。エラーチェック部５００は、最終のＬＥＤバーから出力されるクロック信号ＣＬＫを所定のクロックごとにサンプリングし、クロック信号ＣＬＫの立ち上がりエッジを有する立ち上がりクロックまたは立ち下がりエッジを有する立ち下がりクロックの比率が所定範囲から外れると、サブコントローラは、スイッチング素子をターンオフさせ（Ｓ２６０）、所定時間が経過すると（Ｓ２７０）、ステップＳ２３０ないしステップＳ２７０を繰り返す。ステップＳ２３０ないしステップＳ２７０の繰り返しが所定回数を超えると（Ｓ２９０）、サブコントローラは、スイッチング素子をターンオンさせ（Ｓ３００）て終了する。
【００３１】
本発明の他の実施形態によれば、サブコントローラの代わりにメインコントローラがスイッチング素子を断続することができる。
【００３２】
このように、本発明の詳細な説明では、具体的な実施形態に関して説明したが、本発明の範疇を逸脱しない限度内で様々な変形が可能であることはもちろんである。そのため、本発明の範囲は、説明された実施形態に限って定められてはならず、後述する特許請求の範囲だけでなく、この特許請求の範囲と均等なものによって定められなければならない。
【符号の説明】
【００３３】
１００  コンピュータ
２００  メインコントローラ
３００  サブコントローラ
４００  メディアファサード電光板
５００  エラーチェック部
【図１】
0005567637.tif 000002
【図２】
0005567637.tif 000003
【図３】
0005567637.tif 000004